(57)【要約】【課題】光学系の曇りを低減し得るカメラ、及び、レンズ鏡筒を提供する。【解決手段】  光学系（３１、３２）による像が形成されるカメラ本体（１０）と、カメラ本体（１０）の内部に備えられた電源である電池（２）と、電池（２）が電源を供給する際に発生する熱を光学系（３１、３２）に伝達する熱伝達手段（５ａ）とを含むカメラ（１）であることを特徴とする。【選択図】  図１
2007212696.tif 000002
【特許請求の範囲】
【請求項１】
光学系による像が形成されるカメラ本体と、
前記カメラ本体の内部に備えられた電源である電池と、
前記電池が電源を供給する際に発生する熱を前記光学系に伝達する熱伝達手段とを含むことを特徴とするカメラ。
【請求項２】
請求項１に記載されたカメラであって、
前記電池は燃料電池であることを特徴とするカメラ。
【請求項３】
請求項２に記載されたカメラであって、前記電池は直接メタノール燃料電池であることを特徴とするカメラ。
【請求項４】
請求項１から請求項３までの何れか１項に記載されたカメラであって、前記熱伝達手段は、前記光学系と前記電池との間に備えられていることを特徴とするカメラ。
【請求項５】
請求項４に記載されたカメラであって、
前記光学系は、複数のレンズを含み、
前記熱伝達手段は、前記カメラ本体から最も離れた前記レンズに熱を伝達することを特徴とするカメラ。
【請求項６】
請求項１から請求項５までの何れか１項に記載されたカメラであって、前記光学系を備えたレンズ鏡筒を含み、
前記レンズ鏡筒は、前記カメラ本体から取外し可能であることを特徴とするカメラ。
【請求項７】
カメラ本体に取付け可能なレンズ鏡筒において、
前記カメラ本体に像を形成する光学系と、
前記カメラ本体に電源を供給する電池が発生する熱を前記光学系に伝達する熱伝達手段とを含むことを特徴とする
レンズ鏡筒。
【発明の詳細な説明】
【技術分野】
【０００１】
本発明は、カメラ、及び、レンズ鏡筒に関するものである。
【背景技術】
【０００２】
例えばスキー場のような気温が低い屋外でカメラを使用した後、気温の高い室内にカメラを持ってきた場合、カメラのレンズ自体が低温のままでレンズ表面に温かい空気が接触し、レンズの表面が結露して曇ってしまう。
【０００３】
このような結露を防止する手段としてカメラ内部の電気回路が放出する熱をレンズに伝達してレンズを温め、結露を防止する方法が提案されている。
【特許文献１】特開２００４−２０７９８号公報
【発明の開示】
【発明が解決しようとする課題】
【０００４】
本発明の課題は、光学系の曇りを低減し得るカメラ、及び、レンズ鏡筒を提供することである。
【課題を解決するための手段】
【０００５】
本発明は、以下のような解決手段により前記課題を解決する。なお、理解を容易にするために、本発明の一実施例を示す図面に対応する符号を付して説明するが、これに限定されるものではない。
【０００６】
請求項１に記載の発明は、光学系（３１、３２）による像が形成されるカメラ本体（１０）と、カメラ本体（１０）の内部に備えられた電源である電池（２）と、電池（２）が電源を供給する際に発生する熱を光学系（３１、３２）に伝達する熱伝達手段（５ａ、５ｂ、５ｃ、５ｄ）とを含むカメラ（１）であることを特徴とする。
【０００７】
請求項２に記載の発明は、請求項１に記載されたカメラ（１）であって、電池（２）は燃料電池であることを特徴とする。
請求項３に記載の発明は、請求項２に記載されたカメラ（１）であって、電池（２）は直接メタノール燃料電池であることを特徴とする。
【０００８】
請求項４に記載の発明は、請求項１から請求項３までの何れか１項に記載されたカメラ（１）であって、熱伝達手段（５ａ、５ｂ、５ｃ、５ｄ）は、光学系（３１）と電池（２）との間に備えられていることを特徴とする。
【０００９】
請求項５に記載の発明は、請求項４に記載されたカメラ（１）であって、光学系（３１、３２）は、複数のレンズを含み、熱伝達手段（５ａ、５ｂ、５ｃ、５ｄ）は、カメラ本体（１０）から最も離れたレンズ（３１）に熱を伝達することを特徴とするカメラ（１）。
【００１０】
請求項６に記載の発明は、１から請求項５までの何れか１項に記載されたカメラ（１）であって、光学系（３１、３２）を備えたレンズ鏡筒（３）を含み、レンズ鏡筒（３）は、カメラ本体（１０）から取外し可能であることを特徴とするカメラ（１）。
【００１１】
請求項７に記載の発明は、カメラ本体（１０）に取付け可能なレンズ鏡筒（３）において、カメラ本体（１０）に像を形成する光学系（３１、３２）と、カメラ本体（１０）に電源を供給する電池（２）が発生する熱を光学系（３１、３２）に伝達する熱伝達手段（５ａ、５ｂ、５ｃ、５ｄ）とを含むレンズ鏡筒（３）であることを特徴とする。
【００１２】
なお、符号を付して説明した構成は適宜改良してもよく、また、少なくとも一部を他の構成物に代替してもよい。
【発明の効果】
【００１３】
本発明によれば、光学系の曇りを低減し得るカメラ、及び、レンズ鏡筒を提供することができる。
【発明を実施するための最良の形態】
【００１４】
以下、図面等を参照して、本発明の実施例をあげて、さらに詳しく説明する。なお、本発明のカメラは、例えば、一眼レフ型のスチルカメラ、コンパクト型のスチルカメラ、ビデオカメラなどとすることができるが、以下の実施例では、一眼レフ型のカメラを例にとって説明する。
【実施例１】
【００１５】
図１は本実施例に係るカメラの一実施例を示す断面図である。図１において、本実施例のカメラ１は、レンズ３１、３２による像が撮像素子（図示せず）に形成されるカメラ本体１０と、カメラ本体１０の外部に備えられたレンズ鏡筒３とを含む。レンズ鏡筒３は、複数のレンズ３１、３２を支持するレンズ筐体３０と、カメラ本体１０に接続するためのマウント部材３００（図７参照）とを含む。
【００１６】
燃料電池２は、カメラ１の電源であり、カメラ本体１０の内部に備えられている。図において、燃料電池２は、カメラ本体１０の上部に配置されているが、その配置は任意である。燃料電池２の電力は、例えば、焦点の検出、ストロボ発光、デジタルカメラであればＣＣＤ素子の駆動、フィルムカメラであればフィルムの巻上げなど、カメラの任意の機能に使用できる。
【００１７】
チューブ５ａは、燃料電池２とレンズ３１との間に備えられている。燃料電池２の周辺には、カメラ本体１０の壁面９０で仕切られた空気室９が備えられている。チューブ５ａとカメラ本体１０との接続構造、及び、チューブ５ａとレンズ鏡筒３との接続構造も任意である。
【００１８】
このような構成を有する本実施例のカメラ１では、カメラを使用するために電源を入れると、燃料電池２が発電する際に熱が発生し、燃料電池２の周辺の空気室９の空気が温められる。温められた空気は、チューブ５ａを介してレンズ３１に伝達されレンズ３１を温める。これにより、レンズ３１の結露が低減し、レンズの曇りが防止されることとなる。
【００１９】
本実施例のカメラ１は、電源として燃料電池２を用いるので、電力供給時に化学変化が起こり、カメラ内部の一般的な電気回路素子や乾電池等で発生する熱量と比較して大きな熱量が発生する。このため、大きな熱量を用いて、レンズ３１を効率的に温めることができる。
【００２０】
例えば、望遠レンズ鏡筒等のようにレンズ３１とカメラ本体１０との間隔が大きいレンズ鏡筒３においては、カメラ本体１０から最も離れたレンズ３１に結露が生じ易いので、結露を低減させるためには、カメラ本体１０から最も離れたレンズ３１を温めることが好ましい。しかし、本実施例は、レンズ３１を温める構成に限定されるものではなく、レンズ３１以外のレンズ３２等を温める構成を採用してもよい。
【００２１】
また、本実施例は、レンズ３１を温めるための電気回路素子を必要としないから、その分だけ、低消費電力化できる。また、部品点数の増大を回避し、カメラの小型化、軽量化、及び低コスト化を図ることができる。
【００２２】
なお、図示の実施例では、像側（カメラ本体１０が配置された側）からレンズ３１を温めているが、物体側（カメラ本体１０が配置された側とは反対側）からレンズ３１を温めてもよい。
【実施例２】
【００２３】
図２は本実施例に係るカメラ１の別の一実施例を示す断面図である。本実施例において、カメラ本体１０の内部には、ファン６が備えられている。ファン６は、例えば、燃料電池２で駆動される。
【００２４】
このような構成を有する本実施例のカメラは、燃料電池２で温められた空気室９の空気がファン６により効率的にレンズ３１に伝達され、レンズ３１が効率的に温められ、レンズ３１の結露がより確実に防止される。
【実施例３】
【００２５】
図３は本実施例に係るカメラ１の更に別の一実施例を示す断面図である。本実施例において、チューブ５ａの内部には、例えば、シリカゲルなどの吸湿剤７と空気中のゴミを除去するフィルター８が設けられている。
【００２６】
本実施例では、吸湿剤７により、チューブ５ａを介してレンズ３１に伝達される空気の湿度が低下するから、レンズ３１の結露がより確実に防止される。また、フィルター８によりゴミが除去されるので、レンズ３１にゴミが付着してレンズ３１の光学性能が劣化する事態を回避できる。
【実施例４】
【００２７】
図４は本実施例に係るカメラ１の更に別の一実施例を示す断面図である。本実施例において、剛性部材で構成された管５ｂは、レンズ筐体３０の内側に備えられている。管５ｂは、例えば、ステンレス、アルムニウム等の金属材料で構成することができる。また、管５ｂは、レンズ筐体３０と同一の材質であってもよいし、異なる材質であってもよい。
【００２８】
図示のカメラ１は、マウント部材３００（図７参照）を用いてカメラ本体１０とレンズ鏡筒３とを接続する際に、管５ｂとファン６とが接続されるから、カメラ本体１０とレンズ鏡筒３とを接続するだけで、燃料電池２で温められた空気室９の空気をレンズ３１に伝達する流路が完成し、カメラ使用前の作業が容易になる。
【００２９】
図示のカメラ１は、レンズ筐体３０と管５ｂとが一体の構造であるから、例えば、ズームレンズなどのようにレンズ筐体３０が伸縮した場合でも、管５ｂの長さが自動的に伸縮することとなる。
【００３０】
なお、図示の実施例では、管５ｂとファン６とを接続する構成を図示したが、ファン６を省略して管５ｂと空気室９とを直接に接続してもよい。
【実施例５】
【００３１】
図５は本実施例に係るカメラ１の更に別の一実施例を示す断面図である。本実施例において、レンズ筐体３０は、内側が二重構造になっており二重構造の隙間が管５ｃとなっている。
【００３２】
本実施例では、管５ｃに供給された温められた空気室９の空気がレンズ筐体３０全体を温め、レンズ３１も温められる。また、レンズ筐体３０が二重構造になっており、管５ｃに供給された温められた空気がレンズ３１に直接的に触れることがないので、レンズ３１にゴミが付着することも防ぐ事ができる。
【実施例６】
【００３３】
図６は本実施例に係るカメラ１の更に別の一実施例を示す断面図である。本実施例において、例えば、金属平板からなる熱伝導板５ｄは、レンズ筐体３０の内側に備えられた第１の部分５１と、カメラ本体１０に備えられた第２の部分５２とを含む。第１の部分５１の少なくとも一部は、レンズ３１に接触させるか、その近傍に備えることが好ましい。第２の部分５２の少なくとも一部は、燃料電池２に接触させるか、その近傍に備えることが好ましい。
【００３４】
本実施例では、燃料電池２の熱で温められた熱伝導板５ｄがレンズ筐体３０全体を温め、レンズ３１も温められる。
本実施例では、マウント部材３００（図７参照）を用いてカメラ本体１０とレンズ鏡筒３とを接続する際に、第１の部分５１と第２の部分５２とが接続され、燃料電池２の熱を伝達する熱伝導路となるから、カメラ使用前の作業が容易になる。
【００３５】
また、熱伝導板５ｄは、伸縮できる構造であることが好ましい。例えば、ズームレンズなどのようにレンズ筐体３０が伸縮した場合に、レンズ筐体３０の伸縮に追従できるからである。
【実施例７】
【００３６】
図７は本実施例に係るレンズ鏡筒の一実施例を示す断面図である。本実施例において、レンズ鏡筒３は、カメラ本体（図５参照）から取外し可能な望遠レンズ鏡筒である。レンズ鏡筒３は、レンズ３１、３２と、カメラ本体１０に接続するためのマウント部材３００と、燃料電池（図５参照）により生じた熱をレンズ３１に伝達する管５ｃとを含む。
【００３７】
図示のレンズ鏡筒３は、マウント部材３００を用いてカメラ本体と接続され、これにより、燃料電池とレンズ３１とが管５ｃを介して接続される。このため、上述した実施例１〜６に示したカメラにより得られる優れた作用効果を享受することができる。
（変形例）
本実施例は、以下の変形も可能である。
（１）本実施例では、熱をレンズ３１に伝達する際に、上述した可撓性のあるチューブ５ａ、剛性部材で構成された管５ｂ、５ｃ、金属平板からなる熱伝導板５ｄを用いたけれども、これに代えて、例えば、金属製、合金製の線材などを用いてもよい。
（２）本実施例では、発電時に熱を発生させる手段として、発熱量が大きい燃料電池２を用いたけれども、これに代えて、燃料電池以外の電池を用いてもよい。電池として、例えば、直接メタノール燃料電池（ＤＭＦＣ）を用いることにより、小型化を図ることもできる。
（３）本実施例では、レンズ３１、３２を用いて説明したけれども、燃料電池２から熱が伝達される光学系は、レンズに限定されるものではなく、フィルタ、偏向版、保護膜などであってもよい。また、光学系は、単数のレンズであってもよいし、複数のレンズなどから構成されるレンズ群またはレンズ群の一部であってもよい。更に、光学系は、撮影光学系であってもよいし、ファインダなどの観察光学系等であってもよい。
（４）レンズ鏡筒３は、カメラ本体１０から取外しできるものであってもよいし、取外しできないものであってもよい。また、レンズ鏡筒３に含まれるレンズ群の数、及び、レンズ群に含まれるレンズの数は任意である。
（５）燃料電池２から生じる熱とともに、電気回路要素、撮像素子等から生じる熱をレンズ３１に供給する構成も好ましい。より大きな熱量をレンズ３１に与えることにより、より確実に結露を防止し得るからである。
【００３８】
なお、本第1実施例〜第７実施例及び変形例は、適宜組み合わせて用いることもできるが、詳細な説明は省略する。また、本発明は、以上説明した各実施例によって限定されることはない。
【図面の簡単な説明】
【００３９】
【図１】本発明の実施例１のカメラを示す断面図である。
【図２】実施例２のカメラを示す断面図である。
【図３】実施例３のカメラを示す断面図である。
【図４】実施例４のカメラを示す断面図である。
【図５】実施例５のカメラを示す断面図である。
【図６】実施例６のカメラを示す断面図である。
【図７】実施例７のレンズ鏡筒を示す断面図である。
【符号の説明】
【００４０】
１              カメラ
１０            カメラ本体
２              燃料電池
５ａ            チューブ
３              レンズ鏡筒
３１、３２      レンズ
【図１】
2007212696.tif 000003
【図２】
2007212696.tif 000004
【図３】
2007212696.tif 000005
【図４】
2007212696.tif 000006
【図５】
2007212696.tif 000007
【図６】
2007212696.tif 000008
【図７】
2007212696.tif 000009